(57)【要約】【課題】球体または多面体状の透明な氷を製造でき、使い勝手の良い製氷器を提供する。【解決手段】コップ部２と、前記コップ部２における側部２１の内面２１１に対して一定の位置にあって当該位置から上方へと移動可能に当接する下枠部３１と当該下枠部３１から下方に延びる底壁部３２とを備える下製氷部３と、前記下製氷部３の上方に設けられ、前記コップ部２における前記側部２１の内面２１１に対して一定の位置にあって当該位置から上方へと移動可能に当接する上枠部４１と当該上枠部４１から上方に延びる天壁部４２とを備える上製氷部４と、前記コップ部２における前記側部２１の外方に位置する断熱部５と、を備え、前記下製氷部３における前記下枠部３１の外周面３１１と、前記コップ部２における前記側部２１の内面２１１のうち前記外周面３１１に対向する部分とは共に、上広がりのテーパ面とされている。【選択図】図１
2020003133.tif 000002
【特許請求の範囲】
【請求項１】
側部と底部とが閉じられていて内部に水を保持できるコップ部と、
前記コップ部における前記側部の内面に対して一定の位置にあって当該位置から上方へと移動可能に当接する下枠部と、当該下枠部から下方に延びる底壁部であって、上下に貫通する通水穴を有する底壁部とを備え、前記下枠部及び前記底壁部の内面が球体または多面体における外周面で上下二分割されたうち下部分となっている下製氷部と、
前記下製氷部の上方に設けられ、前記コップ部における前記側部の内面に対して一定の位置にあって当該位置から上方へと移動可能に当接する上枠部と、当該上枠部から上方に延びる天壁部であって、上下に貫通する空気抜き穴を有する天壁部とを備え、前記上枠部及び前記天壁部の内面が球体または多面体における外周面で上下二分割されたうち上部分となっている上製氷部と、
前記コップ部における前記側部の外方に位置し、前記コップ部の内部を外部から断熱する断熱部と、を備え、
前記下製氷部における前記下枠部の外周面と、前記コップ部における前記側部の内面のうち前記外周面に対向する部分とは共に、上広がりのテーパ面とされている製氷器。
【請求項２】
前記上製氷部における前記上枠部の外周面と、前記コップ部における前記側部の内面のうち前記外周面に対向する部分とは共に、上広がりのテーパ面とされており、
前記コップ部における前記側部の内面のうち前記外周面に対向する部分は、前記下製氷部における前記下枠部の外周面に対向するテーパ面と連続した上広がりのテーパ面とされている、請求項１に記載の製氷器。
【請求項３】
前記コップ部における前記側部は、前記下製氷部における前記下枠部を載置する段部を有する、請求項１または２に記載の製氷器。
【請求項４】
前記上製氷部は軟質材料で形成されており、
前記上枠部から上方に、前記コップ部の上端よりも上方まで延長された延長部を備える、請求項１〜３のいずれかに記載の製氷器。
【発明の詳細な説明】
【技術分野】
【０００１】
本発明は、球形または多面体形状の透明な氷を製造できる製氷器に関するものである。
【背景技術】
【０００２】
本願の出願人は、球形の氷を製造できる製氷器に関して出願している（特許文献１）。
【０００３】
ここで、例えばウイスキーをロック等で飲む際に、見栄えが良いことから、透明な球形の氷が求められていた。しかし特許文献１に記載の製氷器では、製氷時に固化しつつある氷に気泡等の濁りのもとになる物質が混入することが避けられず、透明な球形の氷を製造することはできなかった。
【０００４】
また、透明な球形の氷を製造できる製氷器として、例えば特許文献２に記載のものがある。この製氷器は、断熱性を有するコップ状部分の底面から円筒が突出しており、この円筒の上端に球状に製氷を行うための球体が載せられて構成されている。この球体は、製氷時に下方となる位置に水が通る貫通穴が設けられ、製氷時に上方となる位置に空気抜きのための貫通穴が設けられている。球体内の水の方が球体よりも下に位置する水よりも早く凍り始めるため、濁りのもとになる物質を球体内から追い出すことができ、透明な氷を製造できる。
【先行技術文献】
【特許文献】
【０００５】
【特許文献１】特許第６２９８１２３号公報
【特許文献２】特許第４５１２９７３号公報
【発明の概要】
【発明が解決しようとする課題】
【０００６】
ところがこの製氷器では、球体を円筒の上端に単に載せるように構成されていて使いにくかった。また、貫通穴を上下に位置合わせするための目標も一切設けられていないことからも、使い勝手の点で改良の余地があった。
【０００７】
そこで本発明は、球体または多面体状の透明な氷を製造でき、使い勝手の良い製氷器を提供することを課題とする。
【課題を解決するための手段】
【０００８】
本発明は、側部と底部とが閉じられていて内部に水を保持できるコップ部と、前記コップ部における前記側部の内面に対して一定の位置にあって当該位置から上方へと移動可能に当接する下枠部と、当該下枠部から下方に延びる底壁部であって、上下に貫通する通水穴を有する底壁部とを備え、前記下枠部及び前記底壁部の内面が球体または多面体における外周面で上下二分割されたうち下部分となっている下製氷部と、前記下製氷部の上方に設けられ、前記コップ部における前記側部の内面に対して一定の位置にあって当該位置から上方へと移動可能に当接する上枠部と、当該上枠部から上方に延びる天壁部であって、上下に貫通する空気抜き穴を有する天壁部とを備え、前記上枠部及び前記天壁部の内面が球体または多面体における外周面で上下二分割されたうち上部分となっている上製氷部と、前記コップ部における前記側部の外方に位置し、前記コップ部の内部を外部から断熱する断熱部と、を備え、前記下製氷部における前記下枠部の外周面と、前記コップ部における前記側部の内面のうち前記外周面に対向する部分とは共に、上広がりのテーパ面とされている製氷器である。
【０００９】
この構成によれば、下製氷部における下枠部の外周面と、コップ部における側部の内面のうち外周面に対向する部分とは、上広がりのテーパ面とされている。このため、コップ部に対して下製氷部を安定的に配置できる。また、コップ部に対して下製氷部を配置すれば、通水穴の位置が一定に定まる。
【００１０】
そして、前記上製氷部における前記上枠部の外周面と、前記コップ部における前記側部の内面のうち前記外周面に対向する部分とは共に、上広がりのテーパ面とされており、前記コップ部における前記側部の内面のうち前記外周面に対向する部分は、前記下製氷部における前記下枠部の外周面に対向するテーパ面と連続した上広がりのテーパ面とされているものとできる。
【００１１】
この構成によれば、テーパ面での当接により、コップ部に対して下製氷部及び上製氷部を安定して保持できる。
【００１２】
そして、前記コップ部における前記側部は、前記下製氷部における前記下枠部を載置する段部を有するものとできる。
【００１３】
この構成によれば、段部による載置により、一定の高さで下製氷部を保持できる
【００１４】
そして、前記上製氷部は軟質材料で形成されており、前記上枠部から上方に、前記コップ部の上端よりも上方まで延長された延長部を備えるものとできる。
【００１５】
この構成によれば、上製氷部が軟質材料で形成されたことにより、ユーザーが上製氷部をつかむことで出来上がった氷の取り出しが容易である。また、延長部によりコップ部から上製氷部の取り外しがしやすい。
【発明の効果】
【００１６】
本発明によると、コップ部に対して下製氷部を安定的に配置でき、また、コップ部に対して下製氷部を配置すれば、通水穴の位置が一定に定まる。よって、本発明に係る製氷器は使い勝手が良い。
【図面の簡単な説明】
【００１７】
【図１】本発明の一実施形態に係る製氷器を示す側面側の半断面図である。
【図２】前記製氷器における下製氷部を示し、（ａ）は平面図、（ｂ）は側面側の半断面図である。
【図３】前記製氷器における上製氷部を示し、（ａ）は平面図、（ｂ）は側面側の半断面図である。
【発明を実施するための形態】
【００１８】
本発明につき、一実施形態を取り上げて、図面とともに以下説明を行う。なお、以下の説明における方向の表現は、図示した方向によっている。
【００１９】
本実施形態の製氷器１は、図１に示すように、コップ部２、下製氷部３、上製氷部４、断熱部５、ケース部６から構成されている。この製氷器１は、例えば家庭用冷蔵庫の製氷室に入れて用いられる。
【００２０】
コップ部２は、側部２１と底部２２とが閉じられていて内部に水を保持できる。コップ部２の上端は開放されており、使用時において底部２２が下方に位置する。コップ部２、ケース部６、断熱部５は、ユーザーが使用する状態で一体とされている。側部２１のうち少なくとも内面２１１は上広がり、つまり、上方に向かうにつれ内径寸法が拡大するテーパ面とされている。更に、側部２１は、下製氷部３における下枠部３１を載置する段部２１２を有する。
【００２１】
下製氷部３は、図２（ａ）（ｂ）に示すように、下枠部３１と底壁部３２とを備える。下枠部３１は、周方向に一周して形成されており、例えば製氷を行うためにコップ部２に組み合わされた際、コップ部２における側部２１の内面２１１に対して一定の位置にあって当該位置から上方へと移動可能に当接する。下製氷部３のコップ部２に対する移動は、製氷の進行中で水が氷になる際の膨張に伴いなされる。本実施形態では段部２１２に下枠部３１が載置されることで下枠部３１が前記一定の位置に設けられる。しかしこれに限定されず、段部２１２を設けることなく、コップ部２における側部２１の内面２１１（テーパ面）と、下枠部３１の外周面３１１（テーパ面）とが当接することで下枠部３１が前記一定の位置に設けられてもよい。底壁部３２は、下枠部３１から下方に湾曲して延びていて、コップ部２の内部を上下に仕切っている。底壁部３２の径方向中央には、上下に貫通する複数の通水穴３２１を有する。この通水穴３２１は、下方に膨らんだ形状の底壁部３２における下部に位置している。このため、例えば底壁部３２とコップ部２の側部２１との間に空気が残った状態で製氷を行ったとしても、この空気が底壁部３２の上方に移動して氷の濁りの原因になることを抑制できる。
【００２２】
この下製氷部３において、下枠部３１及び底壁部３２の内面が、球体における外周面で上下二分割されたうち下部分、つまり球形の製氷領域における下半球の部分となっている。
【００２３】
上製氷部４は、例えば製氷を行うためにコップ部２に組み合わされた際、図１に示すように、下製氷部３の上方に当接するように設けられる。上製氷部４は、図３（ａ）（ｂ）に示すように、上枠部４１と天壁部４２とを備える。下製氷部３及び上製氷部４は、コップ部２に組み合わされた際、上枠部４１の下面が下枠部３１の上面に全周にわたって当接する。また、コップ部２に組み合わされた際、コップ部２における側部２１の内面２１１に対して一定の位置にあって当該位置から上方へと移動可能に当接する。天壁部４２は、上枠部４１から上方に湾曲して延びていて、コップ部２の内部を上方から覆う。天壁部４２の径方向中央には、上下に貫通する空気抜き穴４２１を有する。この空気抜き穴４２１は、製氷の進行中で水が氷になる際の膨張に伴い、上製氷部４の内部空間に位置する空気や余分の水を上製氷部４の上方に逃がすために用いられる。
【００２４】
この上製氷部４において、上枠部４１及び天壁部４２の内面が、球体における外周面で上下二分割されたうち上部分、つまり球形の製氷領域における上半球の部分となっている。
【００２５】
上製氷部４は、上枠部４１から上方に、コップ部２の上端よりも上方まで延長された延長部４３を備える。本実施形態の延長部４３は、周方向４箇所で径内側において天壁部４２に接続されたリブ４４を備えている。また、延長部４３のうちケース部６よりも上方に突出した突出部４３１の厚みは他の部分の厚みよりも大きい。これにより、コップ部２の段部２１２と下製氷部３の下枠部３１との当接に加え、コップ部２の上方でも下製氷部３及び上製氷部４の位置保持がなされる。
【００２６】
下製氷部３及び上製氷部４は軟質材料で形成されている。本実施形態ではエラストマー製である。特に上製氷部４が軟質であることにより、ユーザーが延長部４３を径内方向に絞るように変形させることで、上製氷部４の下部を拡径できることから、出来上がった氷を上製氷部４から容易に分離させることができる。このため、ユーザーが直接氷に手を触れないでいいことから、衛生的である。また、コップ部２の上端よりも上方まで延長されている延長部４３をユーザーがつかむことにより、コップ部２から上製氷部４の取り外しをしやすい。
【００２７】
断熱部５は、コップ部２における底部２２及び側部２１の外方に位置し、前記コップ部２の内部を外部（外気）から断熱する。この断熱部５により、コップ部２のうち下製氷部３よりも下方の領域にある水よりも、下製氷部３及び上製氷部４に囲まれた空間（製氷領域に対応）に位置する水の方が早く凍り始めるようにできる。このため、気泡や、濁りのもととなる物質が下製氷部３及び上製氷部４に囲まれた球状の空間から、下製氷部３の通水穴３２１を介して、コップ部２のうち下製氷部３よりも下方の領域に移動させることができる。このため、透明な球形の氷を製造できる。断熱部５は、シート状の断熱材が組み合わされることもできるし、コップ状に一体成型されることもでき、種々の形態とできる。また、本実施形態の断熱部５はコップ部２の上端まで達するように設けられている。これにより、前記球状の空間の上端位置に対して断熱部５が覆う位置を近づけることができる。こうすると、前記球状の空間において水が凍っていく速度を低下させることができるため、当該空間に濁りの原因となる気泡や不純物が凍結後に残留することを抑制できる。なお、断熱部５の位置はこれに限定されず、断熱部５の上端がコップ部２の上端よりも下方に位置していてもよい。
【００２８】
ケース部６は、コップ部２の上端を除く外周部分と断熱部５を包む部分である。断熱部５は、側方と下方がケース部６に覆われている。また上方については、コップ部２において上端で径外に張り出した鍔部２１３に覆われている。ケース部６や鍔部２１３には適宜、色彩や模様等を施すことができる。
【００２９】
コップ部２、下製氷部３、上製氷部４に設けられたテーパ面について、以下に説明する。
【００３０】
下製氷部３における下枠部３１の外周面３１１と、コップ部２における側部２１の内面２１１のうち前記外周面３１１に対向する部分とは共に、同一傾斜である上広がりのテーパ面とされている。
【００３１】
また、上製氷部４における上枠部４１の外周面４１１と、コップ部２における側部２１の内面２１１のうち前記外周面４１１に対向する部分とは共に、同一傾斜である上広がりのテーパ面とされている。
【００３２】
そして、コップ部２における側部２１の内面２１１のうち上枠部４１の外周面４１１に対向する部分は、下製氷部３における下枠部３１の外周面３１１に対向するテーパ面と連続した上広がりのテーパ面とされている。
【００３３】
つまり、コップ部２、下製氷部３、上製氷部４に設けられたテーパ面はいずれも同一傾斜のテーパ面である。本実施形態では、コップ部２に設けられた段部２１２の上方に下製氷部３における下枠部３１が載っており、更にその上方に上製氷部４における上枠部４１が載っている。この状態で、コップ部２と下製氷部３の界面、及び、コップ部２と上製氷部４の界面が同一傾斜のテーパ面となっている。
【００３４】
このようなテーパ面により、コップ部２に対して下製氷部３を安定的に配置できる。また、コップ部２に対して下製氷部３を配置すれば、通水穴３２１及び空気抜き穴４２１の位置が一定に定まる。また、本実施形態では、下製氷部３及び上製氷部４がテーパ面で当接することにより、コップ部２に対して下製氷部３及び上製氷部４を安定して保持できる。そして、製氷が進むことにより、コップ部２における下製氷部３よりも下方の領域における水が氷になり膨張することで、下製氷部３及び上製氷部４がせり上がる際、コップ部２の側部２１の内面２１１と各製氷部３，４の各外周面３１１，４１１との間に隙間が生じることになるから、前記せり上がりが阻害されることがない。また、このせり上がりによって、コップ部２と下製氷部３及び上製氷部４との当接状態が解除されることになるから、下製氷部３及び上製氷部４を、製造された透明な球形の氷ごとコップ部２から取り出すことが容易にできる。なお、このせり上がりを有効に行わせるために、コップ部２は硬質プラスチック等の硬質材料で形成しておき、水が氷になる際の膨張によって容易に変形しないようにしておくことが好ましい。
【００３５】
本実施形態では、コップ部２にテーパ面に加えて段部２１２が形成されているため、成形誤差等による、製品ごとのテーパ面のばらつきに関係なく、一定の高さで下製氷部３を保持できるため有利である。
【００３６】
次に、以上のように構成された製氷器１の使用例を説明する。ユーザーはまず、下製氷部３と上製氷部４とをコップ部２から取り外す（なお、下製氷部３のみ、または、下製氷部３及び上製氷部４をコップ部２に取り付けたままでも使用は可能である）。そしてコップ部２に水道水等の水を入れる。そして下製氷部３と上製氷部４とをコップ部２に取り付ける。取り付け後の状態で、水位は空気抜き穴４２１とほぼ同じ高さとする。この状態でユーザーは製氷器１を冷蔵庫の冷凍室に入れる。断熱部５による断熱作用のため、冷凍室の冷気は製氷器１の上方から（上製氷部４の天壁部４２を介して）作用する。このため、下製氷部３及び上製氷部４の内部の領域から水が凍り始める。この時点で下製氷部３よりも下方の領域の水は凍っていない。このため、下製氷部３及び上製氷部４の内部の領域において、濁りの原因になる気泡や不純物が当該領域から通水穴３２１を介して下製氷部３よりも下方の領域に移動する。そして下製氷部３及び上製氷部４の内部の領域では気泡や不純物が除去された透明の氷が形成される。その後、下製氷部３よりも下方の領域の水も凍り始める。この領域の水が凍って膨張することで、下製氷部３及び上製氷部４がせり上がる。
【００３７】
製氷が進んだ時点で、ユーザーは冷凍室から製氷器１を取り出す。そしてユーザーは延長部４３をつかむことで、下製氷部３及び上製氷部４をコップ部２から取り出すことができる。前述のように下製氷部３及び上製氷部４がコップ部２からせり上がった状態であるため、ユーザーによる取り出しが容易である。そして、下製氷部３と上製氷部４とを分離して氷を取り出す。このようにして、本実施形態の製氷器１により、透明な球形の氷を製造できる。
【００３８】
以上、本発明につき一実施形態を取り上げて説明してきたが、本発明は、前記実施形態に限定されるものではなく、本発明の要旨を逸脱しない範囲で種々の変更が可能である。
【００３９】
例えば、本発明に係る製氷器１によって製造される氷の形状は、前記実施形態のような球体に限定されるものではなく、多面体であってもよい。なお、この多面体からは、一般的な製氷器で製造される六面体（立方体、直方体）を除外することもできる。なお、球体であっても多面体であっても、幾何学的に正確な形状である必要はなく、前記正確な形状に比べて多少歪んだ形状であってもよい。また、球体の場合、真球に限定されず、卵形や俵形等の細長い形状であってもよい。
【００４０】
また、前記実施形態では、下製氷部３が球形の製氷領域における下略１／２の部分に対応し、上製氷部４が球形の製氷領域における上略１／２の部分に対応していた。しかし、下製氷部３と上製氷部４の上下範囲の対応はこれに限定されず、上下いずれかに片寄っていてもよい。
【００４１】
また、コップ部２の側部２１に形成されるテーパ面は一定の傾斜の面でなくてもよい。また、コップ部２の内面２１１に使用時の水位の目安を示す目印を表示することもできる。
【符号の説明】
【００４２】
１          製氷器
２          コップ部
２１        側部
２１１      側部の内面
２１２      段部
２２        底部
３          下製氷部
３１        下枠部
３１１      下枠部の外周面
３２        底壁部
３２１      通水穴
４          上製氷部
４１        上枠部
４１１      上枠部の外周面
４２        天壁部
４２１      空気抜き穴
５          断熱部
６          ケース部
【図１】
2020003133.tif 000003
【図２】
2020003133.tif 000004
【図３】
2020003133.tif 000005